(57)【要約】      （修正有）【課題】飲み物或いは流動物と食べ物とを一つの容器にまとめて収容することにより、これらを容易に食することができる複合容器を提供する。【解決手段】  カップ状容器本体２と、カップ状容器本体２内に嵌め入れられるサブ容器３と、カップ状容器本体２の内周面におけるサブ容器３との間隙に挿通されたストロー５と、カップ状容器本体２の上部開口を閉止する蓋体６とを有する複合容器１であって、カップ状容器本体２には主として飲み物を入れ、サブ容器３には食べ物を入れる。【選択図】図１
0003154610.tif 000002
【実用新案登録請求の範囲】
【請求項１】
上側が開口したカップ状容器本体と、カップ状容器本体の上部に取り付けられ、上側が開口したサブ容器と、カップ状容器本体の内周面におけるサブ容器との間に形成された間隙に挿通されるストローとを有し、カップ状容器本体とサブ容器にそれぞれ異なる飲食物が収容可能となされている、複合容器。
【請求項２】
カップ状容器本体の上部開口に蓋体が装着され、該蓋体にはストローを挿通する透孔が形成された、請求項１記載の複合容器。
【請求項３】
サブ容器の上縁の全部または一部にカップ状容器本体の上縁と係合するフランジが形成されることにより、サブ容器がカップ状容器本体の上縁に取り付けられるようになされている、請求項１または請求項２記載の複合容器。
【請求項４】
ストローの上端寄り部分に蛇腹状の曲げ部が形成され、ストローの下端にはスクイ部が形成された請求項１〜請求項３のうちのいずれか一項記載の複合容器。
【請求項５】
ストローの上端寄り部分に蛇腹状の曲げ部が形成され、ストローの下端にはフォーク部が形成された請求項１〜請求項３のうちのいずれか一項記載の複合容器。
【考案の詳細な説明】
【技術分野】
【０００１】
本考案は、特にテイクアウトにおいて、二種類の食品を食べるのに便利な複合容器に関する。
【背景技術】
【０００２】
近年、大手外食チェーン店を中心として、ハンバーガーや各種飲料、アイスクリーム、クレープ、コーヒーおよび紅茶等の多岐にわたる食品がテイクアウトで提供されている。そして、これら食品を収容する容器としては、トレー、プレート、カップおよびボックス等、種々のものが用いられている。
【考案の概要】
【考案が解決しようとする課題】
【０００３】
通常、お店からテイクアウトで食品を購入した場合、店舗周辺の場所で立ち食いしたり、歩き食いしたりすることが多いが、購入した食品は、食べ物と飲み物或いは流動物といった二種類以上であることが一般的である。この場合、飲食者は、一方の手に飲み物を持ち、もう一方の手に食べ物を持ってこれらを食することとなるため、飲食途中で一方の食品を地面に落としたり、或いは飲み物をこぼして衣服を汚すことも多かった。
【０００４】
本考案の目的は、飲み物或いは流動物と食べ物とを容易に保持して食することができる複合容器を提供することにある。
【課題を解決するための手段】
【０００５】
請求項１記載の本考案は、上側が開口したカップ状容器本体と、カップ状容器本体の上部に取り付けられ、上側が開口したサブ容器と、カップ状容器本体の内周面におけるサブ容器との間に形成された間隙に挿通されるストローとを有し、カップ状容器本体とサブ容器にそれぞれ異なる飲食物が収容可能となされている複合容器である。
【０００６】
請求項２記載の本考案は、前記請求項１記載の複合容器について、カップ状容器本体の上部開口に蓋体が装着され、該蓋体にはストローを挿通する透孔が形成されたことを特徴とするものである。
【０００７】
請求項３記載の本考案は、前記請求項１または請求項２記載の複合容器について、サブ容器の上縁の全部または一部にカップ状容器本体の上縁と係合するフランジが形成されることにより、サブ容器がカップ状容器本体の上縁に取り付けられるようになされていることを特徴とするものである。
【０００８】
請求項４記載の本考案は、前記請求項１〜請求項３のうちのいずれか一項記載の複合容器について、ストローの上端寄り部分に蛇腹状の曲げ部が形成され、ストローの下端にはスクイ部が形成されたことを特徴とするものである。
【０００９】
請求項５記載の本考案は、前記請求項１〜請求項３のうちのいずれか一項記載の複合容器について、ストローの上端寄り部分に蛇腹状の曲げ部が形成され、ストローの下端にはフォーク部が形成されたことを特徴とするものである。
【００１０】
本考案において、複合容器を構成するカップ状容器本体、サブ容器および蓋体の材料は特に限定されず、合成樹脂製であっても良いし、紙製であっても良い。また、合成樹脂フィルムや紙およびアルミニウム箔等がラミネートされた複合材料を用いる場合もある。
【００１１】
更に、カップ状容器本体内にカキ氷等の冷たい食品を入れたり、或いはホットコーヒーや温かいお茶またはスープを入れる場合には、当該カップ状容器本体を発泡樹脂等の断熱性材料で構成こともある。
【００１２】
また、本考案の複合容器において、カップ状容器本体、サブ容器および蓋体は、透明にする場合の他、適当な模様やキャラクターが付される場合もある。
【考案の効果】
【００１３】
本考案の複合容器によれば、カップ状容器本体に飲み物を入れ、サブ容器に食べ物を入れて、ストローで前記カップ状容器本体内の飲み物を吸飲すると共に、サブ容器内の食べ物を食することができるため、例えば、お店からテイクアウトで食品を購入した場合、店舗周辺の場所で立ち食いしたり、歩き食いしたりする際には、従来のように、一方の手に飲み物を持ち、もう一方の手に食べ物を持ってこれらを食する必要がなく、本考案の複合容器一つだけで両方を飲食することができる。したがって、本考案の複合容器によれば、従来のように、飲食途中で食品を地面に落としたり、或いは飲み物をこぼして衣服を汚すこともない。
【図面の簡単な説明】
【００１４】
【図１】本考案の実施形態に係る複合容器の分解斜視図である。
【図２】同複合容器の垂直断面図である。
【図３】同複合容器の使用例を示す斜視図である。
【図４】同複合容器の他の使用例を示す斜視図である。
【図５】同複合容器におけるストローの変形例を示す斜視図である。
【考案を実施するための形態】
【００１５】
次に、本考案の実施形態を図面にしたがって説明するが、本考案はかかる実施形態に限定されるものではない。
【００１６】
図１および図２に示すように、本実施形態にかかる複合容器１は、カップ状容器本体２と、カップ状容器本体２内に嵌め入れられるサブ容器３と、カップ状容器本体２の内周面におけるサブ容器３との間隙４に挿通されたストロー５と、カップ状容器本体２の上部開口を閉止する蓋体６とを有するものである。
【００１７】
サブ容器３は、平面から見てその一部外周に直線部３ａを有する略円形であって、カップ状容器本体２の上縁内周部に嵌め入れられる外径となされ、前記直線部３ａを除く部分には、カップ状容器本体２の上縁と係合するフランジ７が形成され、カップ状容器本体２の上縁２ｂから下方に一定長だけ下がった所定の深さを有するものである。
【００１８】
ストロー５は、その上端寄り部分に蛇腹状の曲げ部５ａを有し、下端にはスクイ部５ｂが形成されたものである。
【００１９】
蓋体６は、全体形状が平面から見て略円形であって、カップ状容器本体２の上部開口２ｃに嵌め被せられる外径となされ、周縁部６ａがカップ状容器本体２の上縁２ｂと嵌め合わされる構造となされている。また蓋体６にはストロー５を通すための透孔８が形成されている。
【００２０】
そして、本実施形態に係る複合容器１に入れる食品の具体例について説明すると、カップ状容器本体２に入れる食品としては、コーラー、ソーダー、ジュース、ウーロン茶等の飲料が挙げられ、サブ容器３に収容する食品としては、前記カップ状容器本体２に入れた飲料とマッチングする食品が挙げられ、例えば、アイスクリームやジェラート等の氷菓、シュークリームやケーキ、ティラミス、クレープおよびプリン等のスイーツ、フライドポテトやコーンパフおよびポテトチップス等のスナック菓子、或いはたこ焼きや明石焼き等の粉焼きが挙げられる。
【００２１】
ただし、前述した食品は、一例であり、本考案の複合容器に入れられる食品を限定するものではない。また、蓋体６は省略される場合もある。
【００２２】
次に、本実施形態に係る複合容器１の使用要領について説明すると、例えば、図３に示すように、カップ状容器本体２にコーラーＡを入れ、サブ容器３にアイスクリームＢを入れた場合には、サブ容器３のアイスクリームＢをストロー５先端のスクイ部５ｂで取って食べると共に、該ストロー５をカップ状容器本体２とサブ容器３との間隙４に差し込むだけでカップ状容器２内のコーラーＡを飲むことが出来る。この場合、使用者は、片手にカップ状容器本体２を持ち、もう一方の手でストロー５を持ってコーラーＡとアイスクリームＢの飲食を容易に行うことができる。
【００２３】
また、前述したように、コーラーＡとアイスクリームＢとを別々に飲食しても良いが、サブ容器３を反転させて中のアイスクリームＢをカップ状容器本体２内に落とすだけで、所謂コーラーフロートとして楽しむこともできるため、二種類の味を楽しむことができる。
【００２４】
また、図４に示すように、カップ状容器本体２に熱いお茶Ｃを入れ、サブ容器３にたこ焼きＤを入れた場合には、ストロー５先端のスクイ部５ｂを使ってたこ焼きＤを食べつつ、該ストロー５をカップ状容器本体２とサブ容器３との間隙４に差し込むだけでカップ状容器２内のお茶Ｃを飲むことが出来る。この場合、カップ状容器本体２内のお茶Ｃが温かいため、その熱気によって上部のサブ容器３内のたこ焼きＤが温められ、いっそう美味しくたこ焼きＤを食べることができる。
【００２５】
また、前記たこ焼きＤのように、刺して食べる食品をサブ容器３に入れる場合には、図５に示すように、前記スクイ部５ｂがフォーク状部５ｃになったストロー２５を使用することもある。
【産業上の利用可能性】
【００２６】
本考案の複合容器によれば、異なる二種類の飲食物を一つの容器にまとめて飲食することができるため、特にテイクアウトを行っている外食チェーンやデリバリーを展開する食品チェーン等において幅広い利用が期待できる。
【符号の説明】
【００２７】
１  複合容器
２  カップ状容器本体
３  サブ容器
４  カップ状容器本体とサブ容器との間隙
５  ストロー
６  蓋体
【図１】
0003154610.tif 000003
【図２】
0003154610.tif 000004
【図３】
0003154610.tif 000005
【図４】
0003154610.tif 000006
【図５】
0003154610.tif 000007